(57)【要約】【課題】操作ヘッドに対しての組み付けが容易で、常に一定の噴射状態を確保することができる、新規なノズルチップを提供する。【解決手段】本発明は、容器からの内容液が導入される操作ヘッド10に設けられた円筒部13に被せられ、この円筒部13との間を通して送られた内容液を外界に噴射させるためのノズルチップ15である。チップ15は、円筒部13に嵌合する周壁15bを有し、この周壁15bの一端を封止する隔壁15aに注出孔15cが形成され、隔壁15aの内面に、注出孔15cに向かって延在して注出孔15cに合流する複数のスピン溝17が形成されている一方、周壁15bの内周面に、スピン溝17に通じる複数の長溝16が形成されている。長溝16は、隔壁15aの内面に注出孔15cを取り囲むように周回させた環状溝19を形成し、当該環状溝19を介してスピン溝17に通じさせたものである。【選択図】図４
2011235197.tif 000002
【特許請求の範囲】
【請求項１】
容器からの内容液が導入される操作ヘッドに設けられた突出部に被せられ、当該突出部との間を通して送られた内容液を外界に噴射させるためのノズルチップであって、
当該ノズルチップは、突出部に嵌合する周壁を有し、当該周壁の一端を封止する隔壁に注出孔が形成され、
当該注出孔が形成された隔壁の内面に、注出孔に向かって延在して当該注出孔に合流する複数のスピン溝が形成されている一方、
周壁の内周面に、スピン溝に通じる複数の長溝が形成されていることを特徴とするノズルチップ。
【請求項２】
請求項１において、長溝は、隔壁の内面に注出孔を取り囲むように周回させた環状溝を形成し、当該環状溝を介してスピン溝に通じさせたものであることを特徴とするノズルチップ。
【請求項３】
請求項２において、長溝は、スピン溝に対して注出孔の周りに互いに違いになるように配置されたものであることを特徴とするノズルチップ。
【発明の詳細な説明】
【技術分野】
【０００１】
本発明は、例えば、容器からの内容液が導入される操作ヘッドに設けられた突出部に被せられ、当該突出部との間を通して送られた内容液を外界に噴射させるためのノズルチップに関するものである。
【背景技術】
【０００２】
従来のノズルチップとしては、例えば、図５及び図６の実線に示す符号４５のように、操作ヘッド４０に設けられた円筒部（突出部）４３に嵌合する周壁４５ｂを有し、この周壁４５ｂの一端を封止する隔壁４５ａに、注出孔４５ｃを形成すると共に、この注出孔４５ｃが形成された隔壁４５ａの内面に、注出孔４５ｃに向かって延在して当該注出孔４５ｃに合流する、複数のスピン溝４７が形成されたものがある（例えば、特許文献１参照）。
【先行技術文献】
【特許文献】
【０００３】
【特許文献１】実公平２−１５７９６号公報
【発明の概要】
【発明が解決しようとする課題】
【０００４】
これにより、従来のノズルチップ４５は、図７に示すように、円筒部４３の外周面に複数の長溝４６を形成することにより、この長溝４６を図５の矢印Ｆに示すように、容器からの内容液の導入部として、同図及び図６に示すように、スピン溝４７を通して注出孔４５ｃ手前の合流室ｒ5で合流させることで、注出孔４５ｃから外界に噴霧させることができる。
【０００５】
しかしながら、こうした従来のノズルチップ４５は、操作ヘッド４０に対する組み付け方によって、図６(a),(b)に示すように、ノズルチップ４５に形成されたスピン溝４７が、円筒部４３に形成された長溝４６に対し、当該円筒部４３の周方向に対して全く異なる位置に位置決めされるため、注出孔４５ｃからの噴霧状態が安定しない場合がある。
【０００６】
このように、注出孔４５ｃからの噴霧状態は、ノズルチップ４５に形成されたスピン溝４７が円筒部４３の周方向に対してどの位置に位置決めされるかに応じて異なるため、常に一定の噴霧状態を確保しようとすれば、操作ヘッド４０に対してノズルチップ４５を組み付けるための作業が煩雑になるという問題がある。
【０００７】
本発明の目的とするところは、操作ヘッドに対しての組み付けが容易で、常に一定の噴射状態を確保することができる、新規なノズルチップを提供することにある。
【課題を解決するための手段】
【０００８】
本発明は、容器からの内容液が導入される操作ヘッドに設けられた突出部に被せられ、当該突出部との間を通して送られた内容液を外界に噴射させるためのノズルチップであって、
当該ノズルチップは、突出部に嵌合する周壁を有し、当該周壁の一端を封止する隔壁に注出孔が形成され、
当該注出孔が形成された隔壁の内面に、注出孔に向かって延在して当該注出孔に合流する複数のスピン溝が形成されている一方、
周壁の内周面に、スピン溝に通じる複数の長溝が形成されていることを特徴とするものである。
【０００９】
本発明に従えば、長溝は、スピン溝に対して一対一の関係で連通させることも可能であるが、隔壁の内面に注出孔を取り囲むように周回させた環状溝を形成し、当該環状溝を介してスピン溝に通じさせたものとすることができる。
【００１０】
また、本発明に従えば、長溝は、上述のとおり、スピン溝に対して注出孔の周りに整列させることで直結させるようにすることができるが、上記環状溝を形成したときには特に、互いに違いになるように配置されたものとすることができる。
【発明の効果】
【００１１】
本発明によれば、内溶液の導入部である長溝と、この長溝を注出孔に通じさせるスピン溝とが共にノズルチップの内側に予め形成されていることから、常に一定の噴射状態を確保するべく、操作ヘッドに設けられた突出部に対して位置決めしながら組み付けを行うといった煩雑な作業を行う必要がない。
【００１２】
従って、本発明によれば、操作ヘッドに対しての容易な組み付けを実現しつつ、常に一定の噴射状態を確保することができる。
【００１３】
また、本発明によれば、隔壁の内面に、注出孔を取り囲むように周回させた環状溝を形成し、当該環状溝を介して長溝をスピン溝に通じさせることができる。
【００１４】
また、本発明によれば、長溝を、スピン溝に対して注出孔の周りに互いに違いになるように配置されたものとすれば、噴射領域を拡大させつつ均等な噴射状態のものを常に安定して提供することができる。
【図面の簡単な説明】
【００１５】
【図１】本発明の第１の形態である、ノズルチップを備える操作ヘッドを、容器用ポンプに装着した状態を模式的に一部断面で示す側面図である。
【図２】図１の要部拡大図である。
【図３】(a),(b)はそれぞれ、同形態のノズルチップの背面図及び縦断面図である。
【図４】(a),(b)はそれぞれ、同形態のノズルチップを備えたノズルヘッドに係る、異なる流路構造を正面から概念的に示すＸ−Ｘ断面図である。
【図５】従来のノズルチップを備える操作ヘッドの要部断面図である。
【図６】(a),(b)はそれぞれ、従来のノズルチップを備えたノズルヘッドに係る、異なる流路構造を正面から概念的に示すＸ−Ｘ断面図である。
【図７】(a),(b)はそれぞれ、操作ヘッドに形成された環状溝の内径側周面を形作る、円筒部を例示する要部斜視図である。
【発明を実施するための形態】
【００１６】
以下、図面を参照して、本発明の様々な形態を詳細に説明する。
【００１７】
図１において、Ｈは、本発明の第１の形態である、ノズルチップ１５を備えるノズルヘッドである。ノズルヘッドＨは、ステムＳを備える既存のポンプＰに繋がり、このポンプＰが固定されるカバーＣを介して図示せぬ容器の口部に装着される。ポンプＰとしては、例えば、ステムＳの内側に摺動可能に保持されるピストンと、このピストンの内側を摺動可能に嵌合するプランジャとを備える噴霧ポンプが挙げられる。
【００１８】
１０は、ステムＳの上端側が内部嵌合する内部通路ｒ1が形成された操作ヘッドである。操作ヘッド１０は、ステムＳを介してポンプＰ（容器）の上方に配置される。また、内部通路ｒ1は、ステムＳの内部通路ｒ0に通じることで、上述のプランジャの開閉に応じてポンプＰからの内溶液が圧送される。
【００１９】
操作ヘッド１０の側壁１１には、この側壁１１から環状に開口する環状溝１２が形成されている。環状溝１２は、開口部Ａを介して内部通路ｒ1に通じる。環状溝１２の内径側周面ｆ1は、その内側に、円筒部１３を形作る。即ち、円筒部１３の外周面は、環状溝１２の内径側周面ｆ1としてなる。
【００２０】
１５は、図２に示すように、環状溝１２の内径側を覆う隔壁１５ａを有し、この隔壁１５ａの内面（背面）から後方に延在する周壁１５ｂが一体に設けられたノズルチップである。ノズルチップ１５の周壁１５ｂは、同図に示すように、環状溝１２のうちの、内径側周面ｆ1を内部嵌合させる。
【００２１】
また、円筒部１３の外周面ｆ1と嵌合する周壁１５ｂの内周面１５ｆには、図３等に示すように、隔壁１５ａの内面に向かって延在する３つの長溝（長溝）１６が周方向に間隔を空けて形成されている。これにより、ノズルチップ１５を環状溝１２内に嵌合させると、図２に示すように、円筒部１３に沿って延在する内部通路（以下、「軸線流路」）ｒ2が形成される。
【００２２】
また、隔壁１５ｂの背面には、図３(a)に示すように、隔壁１５に形成した貫通孔（以下、「注出孔」）１５ｃに向かって延在する３つのスピン溝１７を形作る３つの膨出部１８が一体に設けられている。３つの膨出部１８は、周壁１５ｂの内周面１５ｆよりも注出孔１５ｃ側に配置することで、周壁１５ｂとの間に、注出孔１５ｃを取り囲むように周回させた環状溝１９を形成する。これにより、ノズルチップ１５を環状溝１２内に嵌合させると、図２に示すように、円筒部１３の先端面１３ｅとの間に、環状の内部通路（以下、「環状流路」）ｒ3を介して軸線流路ｒ2に通じる螺旋状の内部通路（以下、「スピン流路」）ｒ4が形成される。
【００２３】
スピン流路ｒ4は、図３に示すように、注出孔１５ｃ側の溝幅Ｗ1が環状溝１９側の溝幅Ｗ2よりも小さく構成されている。例えば、本形態では、図３に示すように、隔壁１５ａの背面のうち、注出孔１５ｃが形成された部分に、この注出孔１５ｃに通じる凹部２０が形成されている。凹部２０は、隔壁１５ａとの間に、スピン流路ｒ4を注出孔１５ｃに通じさせる合流空間（以下、「合流室」）ｒ5を形成し、注出孔１５ｃに通じさせる。これにより、スピン流路ｒ4は、図４に示すように、注出孔１５ｃ側の流路面積Ｓ1が環状溝１９側の流路面積Ｓ2よりも小さくなるように構成される。
【００２４】
凹部２０は、同図に示すように、注出孔１５ｃの周りを取り囲む外縁２０ｅで形作られた円形としてなり、この凹部２０（合流部ｒ5）の接線に沿って外向きに延在する外周側壁１７ａと、この外周側壁１７ａの接線よりも大きな傾角で外向きに延在する内周側壁１７ｂとで仕切られた領域がスピン溝１７として構成されている。
【００２５】
本形態によれば、内溶液の導入部である軸線流路ｒ2を形作る長溝１６と、軸線流路ｒ2を注出孔１５ｃに通じさせるスピン流路ｒ4を形作るスピン溝１７とが共にノズルチップ１５の内側に予め形成されていることから、例えば、図４(a)のように組み付けても、或いは、図４(b)のように組み付けても、結果として、長溝１６とスピン溝１７との相対位置に変化はない。即ち、本形態によれば、常に一定の噴霧状態を確保するべく、従来のように、操作ヘッド１０に設けられた円筒部１３に対して位置決めしながら組み付けを行うといった煩雑な作業を行う必要がない。
【００２６】
従って、本形態によれば、操作ヘッド１０に対しての容易な組み付けを実現しつつ、常に一定の噴霧状態を確保することができる。
【００２７】
また、図３等に示すように、長溝１６を、スピン溝１７に対して注出孔１５ｃの周りに互い違いになるように配置されたものとすれば、噴射領域を拡大させつつ均等な噴霧状態のものを常に安定して提供することができる。
【００２８】
なお、本形態では、環状溝１２の内径側周面ｆ1は、図７(a)に示すように、円筒部１３の外周面として構成されているが、図７(b)に示す従来のように、その内側に、円筒部４３を形作るものとすることもできる。
【００２９】
上述したところは、本発明の一形態を示したに過ぎず、特許請求の範囲内において、種々の変更を加えることができる。例えば、本発明に従うノズルヘッドは、上述した形態のように、ポンプ動作を惹起させるための部材に限定されることなく、例えば、エアゾール容器のノズルヘッドとしても適用することができ、その適用範囲は、ノズルヘッドに内容液を圧送する手段を問わない。また、上述の各形態に採用された各構成はそれぞれ、互いに適宜、組み合わせることができる。
【産業上の利用可能性】
【００３０】
本発明は、例えば、香水や保湿剤のような化粧料、虫除け剤等の薬剤等を内容液とする容器の上方に配置されることで、内容液を噴射するものであれば、様々な吐出器等に適用することができる。
【符号の説明】
【００３１】
１０    操作ヘッド
１１    操作ヘッド側壁
１１ｆ  操作ヘッド側面
１２    環状溝
１３    円筒部
１３ｅ  円筒部端面
１５    ノズルチップ
１５ａ  隔壁
１５ｂ  周壁
１５ｃ  注出孔（貫通孔）
１６    長溝
１７    スピン溝
１８    隆起部
１９    環状溝
２０    凹部
２０ｅ  凹部外縁
Ｃ      ポンプカバー
ｒ1     内部流路（導入路）
ｒ2     内部流路（軸線流路）
ｒ3     内部流路（環状流路）
ｒ4     内部流路（スピン流路）
ｒ5     合流空間（合流室）
Ｐ      ポンプ
Ｓ      ステム
【図１】
2011235197.tif 000003
【図２】
2011235197.tif 000004
【図３】
2011235197.tif 000005
【図４】
2011235197.tif 000006
【図５】
2011235197.tif 000007
【図６】
2011235197.tif 000008
【図７】
2011235197.tif 000009